(57)【要約】【課題】立体駐車装置内部に人が閉じ込められることを未然に防止する立体駐車装置の運転方法を提供すること。【解決手段】入出庫階１５に、入出庫扉２２を有し車両１９が出入りする入出庫口２７と、人用出入口扉２４を有し利用者が出入りする人用出入口２８と、を備え、入出庫扉２２の近傍には第１運転操作盤２１を備え、人用出入口扉２４の近傍には第２運転操作盤２３を備え、車両１９の入庫時には、第１運転操作盤２１の操作により入出庫扉２２が開き、車両１９の入出庫階１５への進入が完了すると入出庫扉２２が閉じ、第２運転操作盤２３の操作により立体駐車装置１０が運転を開始するようにした。【選択図】図３
2020012257.tif 000002
【特許請求の範囲】
【請求項１】
入出庫階に、入出庫扉を有し車両が出入りする入出庫口と、人用出入口扉を有し利用者が出入りする人用出入口と、を備え、前記入出庫扉の近傍には第１運転操作盤を備え、前記人用出入口扉の近傍には第２運転操作盤を備え、前記車両の入庫時には、前記第１運転操作盤の操作により前記入出庫扉が開き、前記車両の前記入出庫階への進入が完了すると前記入出庫扉が閉じ、前記第２運転操作盤の操作により立体駐車装置が運転を開始することを特徴とする立体駐車装置。
【請求項２】
前記入出庫階に、前記入出庫扉を有し前記車両が出入りする前記入出庫口と、前記人用出入口扉を有し前記利用者が出入りする前記人用出入口と、を備え、前記入出庫扉の近傍には前記第１運転操作盤を備え、前記人用出入口扉の近傍には前記第２運転操作盤を備え、前記車両の出庫時には、前記第２運転操作盤の操作により駐車室から前記入出庫階へ前記車両が搬送され、前記車両が前記入出庫階に着床すると前記人用出入口扉が解錠されるとともに前記入出庫扉が開き、前記車両が前記入出庫階から退出した後に前記第１運転操作盤を操作することにより前記入出庫扉が閉まることを特徴とする立体駐車装置。
【請求項３】
前記第１運転操作盤と前記第２運転操作盤とには認証装置を備え、前記第１運転操作盤の認証装置に入力された利用者認証情報と前記第２運転操作盤の前記認証装置に入力された利用者認証情報とが相違するときは、前記第２運転操作盤の操作が無効となることを特徴とする請求項１記載の立体駐車装置。
【請求項４】
前記第１運転操作盤と前記第２運転操作盤とには認証装置を備え、前記第１運転操作盤の認証装置に入力された利用者認証情報と前記第２運転操作盤の認証装置に入力された利用者認証情報とが相違するときは、前記前記第１運転操作盤の操作が無効となることを特徴とする請求項２記載の立体駐車装置。
【発明の詳細な説明】
【技術分野】
【０００１】
本発明は、駐車装置内部に人が閉じこめられるのを未然に防止する立体駐車装置に関する。
【背景技術】
【０００２】
立体駐車装置は、スペースの少ない土地に多数の車両を効率よく駐車できる駐車設備として住宅密集地等において広く利用されており、利用する土地の広狭や経済性などを考慮した種々の構造のものが提供されている。一般的に立体駐車装置には、一箇所または複数箇所に入出庫スペースが設けられており、駐車する車両は自走により入出庫スペースへの出入りを行う。入出庫スペースと駐車スペースとの間には、車両を搬送する搬送装置を備えており、入出庫スペースにおいて搬送装置上に車両を搭載し、所定の駐車スペースへと車両を搬送して格納する。入出庫スペースの入出庫口には、外部との空間を遮断する扉が設けられており、立体駐車装置が動作するときには扉を閉鎖して人が装置内へ進入しないようになっている。立体駐車装置外部の扉近傍には立体駐車装置の運転を操作する運転操作盤が設けられており、これを駐車装置の管理人あるいは車両の運転者自身が操作することにより、扉の開閉や搬送装置の動作が行われる。
【０００３】
近年、立体駐車装置は、商業施設での利用に加えてオフィスビルやマンション等の集合住宅に併設されて利用されることも多く、この場合には、駐車装置の管理人が常駐することなく、特定の利用者自身が立体駐車装置の運転操作を行うことが多い。しかしながら、このように専門の管理人の操作によらず、利用者自身の操作により立体駐車装置を動作させる場合には、利用者の注意不足や確認不足により、立体駐車装置内に他の人が取り残された状態で扉が閉じられてしまう可能性がある。例えば、出庫時には利用者が車両を運転して入出庫スペースから退出し、この後、立体駐車装置の運転操作を行うため、他の人が立体駐車装置内に取り残されることはほとんどない。これに対して入庫時には、同乗者を乗せたまま入出庫スペースに進入し、この後同乗者の退出を確認しないまま運転操作を行うと、同乗者が立体駐車装置内に閉じこめられてしまうといった可能性がある。また、車両を装置内に停車させている間に他の人が侵入し、これを知らずに扉を閉じた場合も同様である。
【０００４】
このようなことから従来、立体駐車装置内の人の存在を確認する方法として、光電センサにより人を検知する技術（例えば、特許文献１参照）、撮像装置により画像を撮像しこれを画像処理して検知する技術（例えば、特許文献２参照）、マイクロ波を照射してドップラーセンサにより検知する技術（例えば、特許文献３参照）、等が知られており、これらにより人の存在が検知されると立体駐車装置の運転ができないようにしている。また、駐車場内で生じる音を集音し、この音を判定することにより駐車場内に人が閉じ込められていることを検知する技術も知られている（例えば、特許文献４参照）。
【先行技術文献】
【特許文献】
【０００５】
【特許文献１】特開平５−５９８３９号公報
【特許文献２】特開２００２−１６７９９６号公報
【特許文献３】特開平９−２２８６７９号公報
【特許文献４】特開平６−２５７３１５号公報
【発明の概要】
【発明が解決しようとする課題】
【０００６】
上記の従来提案された技術は、各種センサを極力死角のないように配置して人の存在を検知するようにしたものであるが、センサの故障や検知不良等により人の存在を検知できない状態となる事態も少なからず想定され、この場合には、前述したように人が立体駐車装置内部に閉じ込められてしまう可能性がある。そして、このような場合には、立体駐車装置内部からは立体駐車装置の運転を行うことができないため、次の利用者等が運転操作盤を操作するまでは扉が開かないという事態を生じる。
【０００７】
本発明は、このような事情に鑑みてなされたものであって、立体駐車装置内部に人が閉じ込められることを未然に防止する立体駐車装置を提供することを目的とする。
【課題を解決するための手段】
【０００８】
上記課題を解決するために請求項１の発明は、入出庫階に、入出庫扉を有し車両が出入りする入出庫口と、人用出入口扉を有し利用者が出入りする人用出入口と、を備え、前記入出庫扉の近傍には第１運転操作盤を備え、前記人用出入口扉の近傍には第２運転操作盤を備え、前記車両の入庫時には、前記第１運転操作盤の操作により前記入出庫扉が開き、前記車両の前記入出庫階への進入が完了すると前記入出庫扉が閉じ、前記第２運転操作盤の操作により立体駐車装置が運転を開始することを特徴としている。
【０００９】
請求項２の発明は、前記入出庫階に、前記入出庫扉を有し前記車両が出入りする前記入出庫口と、前記人用出入口扉を有し前記利用者が出入りする前記人用出入口と、を備え、前記入出庫扉の近傍には前記第１運転操作盤を備え、前記人用出入口扉の近傍には前記第２運転操作盤を備え、前記車両の出庫時には、前記第２運転操作盤の操作により駐車室から前記入出庫階へ前記車両が搬送され、前記車両が前記入出庫階に着床すると前記人用出入口扉が解錠されるとともに前記入出庫扉が開き、前記車両が前記入出庫階から退出した後に前記第１運転操作盤を操作することにより前記入出庫扉が閉まることを特徴としている。
【００１０】
請求項３の発明は、請求項１に記載の立体駐車装置において、前記第１運転操作盤と前記第２運転操作盤とには認証装置を備え、前記第１運転操作盤の認証装置に入力された利用者認証情報と前記第２運転操作盤の前記認証装置に入力された利用者認証情報とが相違するときは、前記第２運転操作盤の操作が無効となることを特徴としている。
【００１１】
請求項４の発明は、請求項２に記載の立体駐車装置において、前記第１運転操作盤と前記第２運転操作盤とには認証装置を備え、前記第１運転操作盤の認証装置に入力された利用者認証情報と前記第２運転操作盤の認証装置に入力された利用者認証情報とが相違するときは、前記前記第１運転操作盤の操作が無効となることを特徴としている。
【発明の効果】
【００１２】
本発明によれば、車両を入庫するときには、車両が入出庫階に進入し終えると入出庫扉が閉じられるので、利用者以外の人が入出庫階に侵入するのを防止でき、また、第２運転操作盤で利用者認証を行うときに、第１運転操作盤の認証装置に入力された利用者認証情報と相違するときには運転が開始されないので、利用者が入出庫階に閉じ込められたまま利用者以外の人により運転されることもない。また、車両を出庫するときには、人用出入口を利用して入出庫階へ入場するので、利用者以外の人が入出庫階に侵入しても発見し易く、利用者以外では入出庫扉の閉操作ができないので、利用者以外の人の操作によって利用者が入出庫階に閉じ込められることもない。
【図面の簡単な説明】
【００１３】
【図１】立体駐車装置の概略を示す側面図
【図２】立体駐車装置の概略を示す正面図
【図３】入出庫階の平面図
【発明を実施するための最良の形態】
【００１４】
以下、本発明の具体的な実施の形態を図面を参照して説明する。図１及び図２は、立体駐車装置の概略を示す側面図及び正面図であり、本説明においては、具体例としてエレベータ式立体駐車装置を示して説明を行う。立体駐車装置１０の内部には、中央を上下に貫通する昇降路１１が形成されており、この昇降路１１を昇降可能に昇降リフト１２を設けている。昇降リフト１２は、車両１９を搭載する搬器１３の四隅にワイヤロープ１４を連結し、このワイヤロープ１４を立体駐車装置１０の上部に設けた巻き上げ装置（図示せず）により、巻き上げ又は繰り出しすることにより搬器１３を昇降駆動するようにしたものである。
【００１５】
昇降路１１の両側方には、複数の駐車室１７が上下多段に形成されており、各駐車室１７には、それぞれ車両１９を搭載するためのパレット１８を備えている。この立体駐車装置１０においては、地上１階部分を車両１９の入出庫階１５としており、車両１９の入退出方向１６は、搬器１３の長手方向に対して直交する方向に設定されている。車両１９が格納されていない何れかの駐車室１７にある空のパレット１８は、搬器１３上へスライド（横行）させられた後、搬器１３とともに入出庫階１５に降下して停止する。入出庫階１５の下方には、パレット１８を旋回して向きを変えるパレット旋回装置２０を備えており、入出庫階１５に到着したパレット１８は、このパレット旋回装置２０により９０°旋回させられて、その長手方向が車両１９の入退出方向１６となるように方向転換して待機する。
【００１６】
車両１９の入庫時には、車両１９が自走してパレット１８上へと乗り込んだ後、車両１９及びパレット１８は、パレット旋回装置２０により９０°旋回させられて搬器１３上に載置される。そしてこの後搬器１３は、元の駐車室１７の位置、すなわち、パレット１８を取り出して空になった駐車室１７まで車両１９及びパレット１８を搬送し、この後パレット１８ごと車両１９を横行させて格納する。車両１９の出庫時は、これと逆の動作であり、車両１９が格納された駐車室１７まで空の搬器１３が移動した後、駐車室１７からパレット１８および車両１９を搬器１３上へ横行させる。この後、搬器１３が下降して入出庫階１５に到着すると、車両１９及びパレット１８がパレット旋回装置２０により９０°旋回させられ、運転者が車両１９に乗り込んで車両１９を運転して立体駐車装置１０から退出する。
【００１７】
図３は、入出庫階１５の平面図である。入出庫階１５には、車両１９が出入りする入出庫口２７に引き戸式の入出庫扉２２を備えており、入出庫扉２２近傍の外壁には、第１運転操作盤２１を備えている。また、入出庫扉２２に対面する側には、利用者が出入りする人用出入口２８に人用出入口扉２４を備えており、人用出入口扉２４近傍の外壁には、第２運転操作盤２３を備えている。第１運転操作盤２１及び第２運転操作盤２３には、入出庫を選択する釦類やタッチパネル、ディスプレイ、認証装置等を備えており、利用者が運転操作盤２１、２３を操作することにより制御装置が立体駐車装置１０の動作を制御する。さらに入出庫階１５には、カメラ２５及び測域センサ２６を備えている。カメラ２５で撮影された撮像は、第１運転操作盤２１及び第２運転操作盤２３のディスプレイに表示される。また、測域センサ２６により車両１９以外の物体が検知された場合には、立体駐車装置１０の運転が行われないようになっている。
【００１８】
以上の構成により、車両１９の入出庫は次のように行われる。まず、入庫時には、利用者が車両１９を入出庫扉２２の前方で車両１９を停車させた後、第１運転操作盤２１で利用者認証を行い立体駐車装置１０の運転を開始する。立体駐車装置１０では、利用者の車両１９を格納する駐車室１７からパレット１８が引き出され、入出庫階１５へ搬送される。パレット１８が入出庫階１５の所定の位置で停止すると入出庫扉２２が開き、利用者が車両１９を運転してパレット１８上へ移動させ、所定の位置で車両１９を停止させる。車両１９が停止すると入出庫扉２２が自動的に閉鎖するとともに、以降の第１運転操作盤２１での操作は無効となる。
【００１９】
このようにすることで、人が外部より入出庫階１５へ侵入できる時間をできるだけ短縮し、利用者以外の人が入出庫階１５に侵入して閉じ込められる可能性を低くすることができる。また、入出庫扉２２が閉鎖すると第１運転操作盤２１での操作は無効となるので、利用者以外の人が第１運転操作盤２１を操作しても装置が動き出すことはなく、入出庫階１５内の利用者の安全が保たれる。
【００２０】
次いで、利用者は車両１９から降車した後、車両１９の状態及び入出庫階１５内の無人及び安全を確認して人用出入口扉２４を開いて退出する。続いて、利用者は第２運転操作盤２３にて利用者認証を行った後、各種の安全確認項目のチェックを行い安全確認釦を押す。このときに、利用者認証の情報が第１運転操作盤２１で行った利用者認証の情報と相違する場合には、安全確認釦を押す操作は無効とされ立体駐車装置１０の運転は行えない。利用者認証の情報が一致し、安全確認釦が押されると、人用出入口扉２４が施錠されるとともに、車両１９が搬送されて所定の駐車室１７に格納される。このようにして車両１９の格納が終了すると、第１運転操作盤２１での操作が可能になる。
【００２１】
次ぎに、出庫時には、以下のように操作及び動作が行われる。出庫を行う利用者は、第２運転操作盤２３にて利用者認証を行い、その後、運転釦を押すことにより立体駐車装置１０の運転が開始される。立体駐車装置１０内では、利用者に該当する駐車室１７からパレット１８及び車両１９が引き出された後、入出庫階１５へ搬送される。パレット１８及び車両１９が入出庫階１５に着床すると、入出庫扉２２が自動的に開くとともに、人用出入口扉２４が解錠される。利用者は人用出入口扉２４から入出庫階１５内へ入り、車両１９に乗り込んで入出庫階１５から退出する。この際に、人用出入口扉２４は閉鎖して施錠され、また、以降の第２運転操作盤２３での操作は無効となる。
【００２２】
次いで、入出庫階１５を退出した車両１９は、立体駐車装置１０の外部で停車し、利用者が降車して第１運転操作盤２１で利用者認証を行う。このときに、利用者認証の情報が第２運転操作盤２３で行った利用者認証の情報と相違する場合には、以降の操作は無効とされ立体駐車装置１０の運転は行えない。利用者認証の情報が一致することが確認された後に利用者が入出庫階１５内の無人及び安全を確認し、第１運転操作盤２１の完了釦を押すことで入出庫扉２２が閉鎖するとともに施錠され、立体駐車装置１０での出庫運転が終了する。そして、出庫運転が終了すると第２運転操作盤２３での操作が可能となる。
【符号の説明】
【００２３】
１０  立体駐車装置
１１  昇降路
１２  昇降リフト
１３  搬器
１４  ワイヤロープ
１５  入出庫階
１６  入退出方向
１７  駐車室
１８  パレット
１９  車両
２０  パレット旋回装置
２１  第１運転操作盤
２２  入出庫扉
２３  第２運転操作盤
２４  人用出入口扉
２５  カメラ
２６  測域センサ
２７  入出庫口
２８  人用出入口
【図１】
2020012257.tif 000003
【図２】
2020012257.tif 000004
【図３】
2020012257.tif 000005